(57)【特許請求の範囲】
【請求項１】
外部とのインターフェースとしてのインターフェース部を搭載するプリント板と、
該プリント板の上下面及び両側面それぞれを覆う第１シールドカバー部材と、
該インターフェース部の該プリント板の前端面から突出する部分を覆うとともに、該インターフェース部の周面に接触しながら、該インターフェース部の前端に設けられる外部との接続部を外部に対して露呈する第１開口部を有する第２シールドカバー部材と、
該プリント板の前面を覆うとともに、該インターフェース部の該接続部を外部に対して露呈する第２開口部を有するフロントカバー部材と、
該第２シールドカバー部材と該フロントカバー部材との間に介装され、該フロントカバー部材の該第２開口部と該第２シールドカバー部材の外周面との隙間を覆うシールド機構とをそなえて構成されているとともに、
該シールド機構が、
該第２シールドカバー部材の周面において該フロントカバー部材に対して溝を形成する立壁部と、
該フロントカバー部材の内面において該第２開口部に沿在する、該立壁部によって形成された該溝内に延びる片とをそなえ、
該プリント板が、該第１シールドカバー部材及び該フロントカバー部材に上下方向に遊動可能に格納され、
該第２シールドカバー部材が該プリント板に固着されるとともに、
該立壁部が形成する該溝のうち、該第２シールドカバー部材の上下面に形成される該溝の内寸が、当該溝内に延びる該フロントカバー部材の該片の外寸よりも大きく形成されていることを特徴とする、プラグインユニット。
【請求項２】
該第２シールドカバー部材が接地されていることを特徴とする、請求項１に記載のプラグインユニット。
【請求項３】
該第２シールドカバー部材が、該フロントカバー部材と該第１シールドカバー部材とを介して接地されていることを特徴とする、請求項２に記載のプラグインユニット。
【請求項４】
コネクタを有するバックプレーンをそなえたサブラックと、
該サブラックに、該バックプレーンの該コネクタを介して電気的に結合されて実装されるプラグインユニットとをそなえ、
該プラグインユニットが、
外部とのインターフェースとしてのインターフェース部を搭載するプリント板と、
該プリント板の上下面及び両側面それぞれを覆う第１シールドカバー部材と、
該インターフェース部の該プリント板の前端面から突出する部分を覆うとともに、該インターフェース部の周面に接触しながら、該インターフェース部の前端に設けられる外部との接続部を外部に対して露呈する第１開口部を有する第２シールドカバー部材と、
該プリント板の前面を覆うとともに、該インターフェース部の該接続部を外部に対して露呈する第２開口部を有するフロントカバー部材と、
該第２シールドカバー部材と該フロントカバー部材との間に介装され、該フロントカバー部材の該第２開口部と該第２シールドカバー部材の外周面との隙間を覆うシールド機構とをそなえて構成されているとともに、
該シールド機構が、
該第２シールドカバー部材の周面において該フロントカバー部材に対して溝を形成する立壁部と、
該フロントカバー部材の内面において該第２開口部に沿在する、該立壁部によって形成された該溝内に延びる片とをそなえ、
該プリント板が、該第１シールドカバー部材及び該フロントカバー部材に上下方向に遊動可能に格納され、
該第２シールドカバー部材が該プリント板に固着されるとともに、
該立壁部が形成する該溝のうち、該第２シールドカバー部材の上下面に形成される該溝の内寸が、当該溝内に延びる該フロントカバー部材の該片の外寸よりも大きく形成されていることを特徴とする、通信装置。
【請求項５】
該第２シールドカバー部材が接地されていることを特徴とする、請求項４に記載の通信装置。
【請求項６】
該第２シールドカバー部材が、該フロントカバー部材と該第１シールドカバー部材とを介して接地されていることを特徴とする、請求項５に記載の通信装置。
【発明の詳細な説明】
【技術分野】
【０００１】
本発明は、コネクタを有するバックプレーンをそなえたサブラックに機械的及び電気的に結合されるプラグインユニット及びかかるプラグインユニットをそなえた通信装置に関し、特に、プラグインユニットにおいて電磁遮蔽及び静電気による影響の縮減を実現するための技術に関する。
【背景技術】
【０００２】
昨今の電子装置は日進月歩の技術革新により、処理速度の高速化、電子部品の高密度実装化などの高性能化の一途をたどり、これに伴って電子装置の内部回路からの電磁波の放射量増加と、処理速度の高速化に伴う電磁波の短波長化が著しく進んでいる。
電磁波は、近隣装置の誤作動やノイズ混入、あるいは、テレビやラジオの無線放送及び無線通信の不能やノイズ混入等の悪影響を及ぼす。また、電子装置は高性能化とともにデリケートなものとなり、近隣装置等が放射した電磁波を受けることによって生じる誤作動や、静電気に起因する電子部品の破壊や誤作動が、発生し易くなっている。これら電磁波や静電気に起因する誤作動や破壊等の重大なダメージは、電子装置を安定稼動させることにおいて非常な重要な課題であり、電磁遮蔽と静電気の影響を受けなくすることへの要求は高性能化とともに増大している。【０００３】
そこで、複数のプラグインユニットがサブラック装置に挿設されてなる通信装置では、プラグインユニットにおいて、電子部品が搭載されるプリント配線板（以下、プリント板という）を金属製のケースで覆うことにより、電磁遮蔽を実現する技術（例えば、下記特許文献１参照）が提案されている。
このように、プラグインユニットにおいて電磁遮蔽を実現し、外部への電磁波の影響を与えにくくすることにより、プラグインユニットの周辺の電子装置に対して電磁波による影響を与えないようにすることができる。
さらに、プラグインユニットを、サブラック装置を介して接地することにより、静電気による影響の縮減を実現する技術（例えば、下記特許文献２参照）も提案されている。【０００４】
ここで、図８，図９を参照しながら、従来の電磁遮蔽機構を有する通信装置１００について説明すると、通信装置１００はブックシェルフ型の形態を採るサブラック装置１２０と、このサブラック装置１２０に搭載される複数のプラグインユニット１１０とをそなえて構成されている。なお、図８，図９における符号１１０´は組み立て前のプラグインユニット１１０を示している。【０００５】
プラグインユニット１１０は、フロントパネル１１１，プリント板１１２，シールドカバー１１３をそなえて構成され、フロントパネル１１１がプリント板１１２の前面（正面）を覆うとともに、シールドカバー１１３がプリント板１１２の上下面及び両側面を覆うように構成されている。
なお、フロントパネル１１１の上下にはシールドカバー１１３と結合するためのカードレバー１１４が回動可能に対向配置されている。【０００６】
ここで、プラグインユニット１１０についてさらに詳述すると、プラグインユニット１１０のプリント板１１２は、プリント板１１２の上下面に沿って延在するように配置されたアーム部材１１５ａ，１１５ｂを介して筒形あるいは箱形のシールドカバー１１３内に挿設され、さらに、フロントパネル１１１とアーム部材１１５ａ，１１５ｂそれぞれとが結合されている。【０００７】
アーム部材１１５ａ，１１５ｂそれぞれは、プリント板１１２を、所定間隔をあけて両側面から挟むプレート１１５ｃ，１１５ｄと、これらプレート１１５ｃとプレート１１５ｄとの間に介装され端部それぞれがプレート１１５ｃ，１１５ｄに接合されたピン１１５ｅをそなえて構成されている。
そして、図１０（ａ）に示すように、プリント板１１２のアーム部材１１５ａのピン１１５ｅに対応する位置には、プリント板１１２の上端面に延びる切欠き１１２ａが設けられ、プリント板１１２のアーム部材１１５ｂのピン１１５ｅに対応する位置にも、プリント板１１２の下端部に延びる切欠き１１２ａが設けられている。【０００８】
これら切欠き１１２ａそれぞれにピン１１５ｅが挿入されるが、切欠き１１２ａの幅Ｗはピン１１５ｅの直径Ｄよりも僅かに大きく設定されており、プリント板１１２はプラグインユニット１１０のサブラック装置への挿抜方向（ａ１−ａ２方向）には殆ど遊びがない。
一方、切欠き１１２ａの長さＦはピン１１５ｅの直径Ｄよりも大きく設定されており、プリント板１１２は鉛直方向（ｂ１−ｂ２方向）に遊動可能になっている。【０００９】
このようにプリント板１１２が鉛直方向に遊動可能となるようにプラグインユニット１１０を構成することにより、サブラック装置１２０のバックプレーン１２１（図８参照）に設けられたバックプレーンコネクタ１２２（図８参照）とプリント板１１２の後端に設けられたプラグインユニットコネクタ１１６とを、プラグインユニット１１０及びサブラック装置１２０の構成品の各部寸法に対するばらつき（公差集積）の影響を受けずに、結合することができる。【００１０】
ここで、図１０（ａ）〜（ｃ）を参照しながらプラグインユニット１１０のサブラック装置１２０への挿設シーケンスについて説明すると、まず、図１０（ａ）に示すように、プラグインユニット１１０をサブラック装置１２０に挿入する過程において、サブラック装置１２０の下部レール１２３（図８参照）に沿って、プラグインユニット１１０を挿入方向（ａ１方向）に移動させる。【００１１】
そして、図１０（ｂ）に示すように、プラグインユニット１１０をサブラック装置１２０にさらに挿し込み、プラグインユニットコネクタ１１６のガイド突起１１６ａとバックプレーンコネクタ１２２のガイド穴１２２ａとが当接する。ここからさらにプラグインユニット１１０を挿し込むと、プリント板１１２が鉛直方向に遊動可能に構成されているため、プリント板１１２が、ガイド突起１１６ａ及びガイド穴１１２ａの端面に案内されて、プラグインされる鉛直方向（ｂ１−ｂ２方向）の適正位置に移動され、図１０（ｃ）に示すように、プラグインコネクタ１１６をバックプレーンコネクタ１２２に確実に結合することができる。【００１２】
ところで、従来から、通信装置に搭載される電気信号と光信号との交換を行なう光モジュールには、光ファイバケーブルが光モジュールに分離不可能な状態で接続されたピッグテイルと呼ばれるモジュールが広く使用されている（例えば、下記特許文献３参照）。
図１１（ａ）〜（ｃ）に従来のピッグテイルタイプの光モジュール１３１を搭載したプラグインユニット１３０を示す。なお、図１１（ｃ）は図１１（ａ）に示すプラグインユニット１３０前方部分のＣ−Ｃ´断面図である。図１１（ａ）に示すように、光ファイバケーブル１３２が分離不可能な状態で接続された光モジュール１３１を使用する場合、光モジュール１３１は、プリント板１３０ａに半田付けにて固着されることによりプリント板１３０ａと電気的結合される。【００１３】
また、図１１（ｂ），（ｃ）に示すように、このプラグインユニット１３０は、正面側に光ファイバー接続のインターフェース１４０を有しており、インターフェース１４０は、光コネクタを双方に接続し中継する光アダプタ１４１を、フロントパネル１３０ｂに対し回動可能なスイング１４２上に配置することによって構成されるとともに、電気信号と光信号との変換を行なう光モジュール１３１に分離不可能な状態で接続された光ファイバケーブル１３２の他端が、光アダプタ１４１に接続されて構成されている。【００１４】
なお、ピッグテイルタイプの光モジュール１３１を搭載した従来のプラグインユニット１３０は、図１１（ｃ）に示すように、プリント板１３０ａとスイング１４２との間に境界部１３３をそなえており、これにより電磁遮蔽を実現している。
これに対して、電子部品の高機能化により、昨今、光ファイバケーブルと光モジュールとが光コネクタに挿抜可能に結合される光モジュール［例えば、ＳＦＰ（Small form Factor Pluggable）］を搭載したプラグインユニットが広まりつつある。【００１５】
図１２（ａ），（ｂ）にＳＦＰ１５２を搭載したプラグインユニット１５０を示す。この図１２（ａ），（ｂ）に示すように、プラグインユニット１５０は、プリント板１５１にＳＦＰ１５２を収納するケース（ケージ）１５３と電気コネクタ（図示略）のみを固着し、ＳＦＰ１５２がケース１５３に対して挿抜可能になっている。なお、プリント板１５１にはＳＦＰ１５２及びケース１５３がそれぞれ４つ搭載されている。【００１６】
そして、プラグインユニット１５０のフロントパネル１５４には、ＳＦＰ１５２に対応する位置にＳＦＰ１５２を外部に露出するための開口部（穴）１５５を設けており、これにより、ＳＦＰ１５２がプラグインユニット１５０の正面から着脱可能な状態に実装される。
なお、プラグインユニット１５０においても、図１０（ａ）〜（ｃ）を参照しながら上述した理由でプリント板１５１を鉛直方向（ｂ１−ｂ２方向）に遊動可能に構成するために、フロントパネル１５４の開口部１５５の高さ（鉛直方向の開口長さ）を、ＳＦＰ１５２の高さ（鉛直方向の長さ）よりも十分高く（長く）構成している。【００１７】
このように、プラグインユニット１５０では、ＳＦＰ１５２をプリント板１５１に対して着脱可能に構成することにより、光信号の波長などの種別変更の必要が生じたときでも、エンドユーザ等がＳＦＰ１５２を別の光モジュールに交換するだけの簡易な手段にて対応することができ、通信装置への要求の多様化に対応することができる。
しかしながら、図１１を参照しながら、上述したように、ピッグテイルタイプの光モジュール１３１を搭載したプラグインユニット１３０では、電磁遮蔽等を実現することができるのに対して、このＳＦＰ１５２を着脱可能に搭載するプラグインユニット１５０では、フロントパネル１５１が開口部１５５を有するため、外部との電磁遮蔽の境界が不十分であり、外部への電磁波の影響を与え易く、また、静電気による影響も受け易い。【００１８】
本発明は、このような課題に鑑み創案されたもので、サブラックと、このサブラックに電気的に結合されるプラグインユニットとをそなえた通信装置において、プラグインユニットの電磁遮蔽を確実に実現しながら、モジュール（例えば、光モジュール）をプラグインユニットに対して着脱可能に搭載できるようにすることを目的とし、さらには、静電気による影響の縮減を実現できるようにすることを目的とする。
【特許文献１】再公表特許第ＷＯ００／０７４４５４号公報
【特許文献２】特開２００２−０５０８８７号公報
【特許文献３】特開２００３−０８６９６７号公報
【発明の開示】
【００１９】
上記の目的を達成するために、本発明のプラグインユニットは、外部とのインターフェースとしてのインターフェース部を搭載するプリント板と、該プリント板の上下面及び両側面それぞれを覆う第１シールドカバー部材と、該インターフェース部の該プリント板の前端面から突出する部分を覆うとともに、該インターフェース部の周面に接触しながら、該インターフェース部の前端に設けられる外部との接続部を外部に対して露呈する第１開口部を有する第２シールドカバー部材と、該プリント板の前面を覆うとともに、該インターフェース部の該接続部を外部対して露呈する第２開口部を有するフロントカバー部材と、該第２シールドカバー部材と該フロントカバー部材との間に介装され、該フロントカバー部材の該第２開口部と該第２シールドカバー部材の外周面との隙間を覆うシールド機構とをそなえて構成されているとともに、該シールド機構が、該第２シールドカバー部材の周面において該フロントカバー部材に対して溝を形成する立壁部と、該フロントカバー部材の内面において該第２開口部に沿在する、該立壁部によって形成された該溝内に延びる片とをそなえ、該プリント板が、該第１シールドカバー部材及び該フロントカバー部材に上下方向に遊動可能に格納され、該第２シールドカバー部材が該プリント板に固着されるとともに、該立壁部が形成する該溝のうち、該第２シールドカバー部材の上下面に形成される該溝の内寸が、当該溝内に延びる該フロントカバー部材の該片の外寸よりも大きく形成されていることを特徴としている。
【００２０】
また、上記目的を達成するために、本発明の通信装置は、コネクタを有するバックプレーンをそなえたサブラックと、該サブラックに、該バックプレーンの該コネクタを介して電気的に結合されて実装されるプラグインユニットとをそなえ、該プラグインユニットが、外部とのインターフェースとしてのインターフェース部を搭載するプリント板と、該プリント板の上下面及び両側面それぞれを覆う第１シールドカバー部材と、該インターフェース部の該プリント板の前端面から突出する部分を覆うとともに、該インターフェース部の周面に接触しながら、該インターフェース部の前端に設けられる外部との接続部を外部に対して露呈する第１開口部を有する第２シールドカバー部材と、該プリント板の前面を覆うとともに、該インターフェース部の該接続部を外部対して露呈する第２開口部を有するフロントカバー部材と、該第２シールドカバー部材と該フロントカバー部材との間に介装され、該フロントカバー部材の該第２開口部と該第２シールドカバー部材の外周面との隙間を覆うシールド機構とをそなえて構成されているとともに、該シールド機構が、該第２シールドカバー部材の周面において該フロントカバー部材に対して溝を形成する立壁部と、該フロントカバー部材の内面において該第２開口部に沿在する、該立壁部によって形成された該溝内に延びる片とをそなえ、該プリント板が、該第１シールドカバー部材及び該フロントカバー部材に上下方向に遊動可能に格納され、該第２シールドカバー部材が該プリント板に固着されるとともに、該立壁部が形成する該溝のうち、該第２シールドカバー部材の上下面に形成される該溝の内寸が、当該溝内に延びる該フロントカバー部材の該片の外寸よりも大きく形成されていることを特徴としている。
【００２２】
さらに、上述した本発明のプラグインユニット及び通信装置において、該第２シールドカバー部材が接地されていることが好ましく、このとき、該第２シールドカバー部材が、該フロントカバー部材と該第１シールドカバー部材とを介して接地されていることが好ましい。
このように、本発明によれば、シールド機構によって、インターフェース部のプリント板の前端面から突出する部分を第２シールドカバー部材が覆うとともに、フロントカバー部材の第２開口部と第２シールドカバー部材の外周面との隙間をシールド機構が覆うため、インターフェース部において光モジュールを着脱可能に構成した場合であっても、プラグインユニットの電磁遮蔽を確実に実現することができるとともに、静電気の影響の縮減を実現することができる。
【図面の簡単な説明】
【００２３】
【図１】本発明の一実施形態としての通信装置を示す斜視図である。
【図２】本発明の一実施形態としての通信装置のプラグインユニットの構造を説明するための分解斜視図である。
【図３】本発明の一実施形態としての通信装置のプラグインユニットを示す斜視図である。
【図４】本発明の一実施形態としての通信装置のプラグインユニットのシールド機構を説明するため一部を破断して示す分解斜視図である。
【図５】本発明の一実施形態としての通信装置のプラグインユニットを示す図であり、（ａ）はその上面図、（ｂ）はその側面図、（ｃ）はその正面図である。
【図６】（ａ）は図５（ｂ）のＡ−Ａ´断面を示す断面図、（ｂ）は（ａ）のＸ部を拡大して示す断面図である。
【図７】（ａ）は図５（ｃ）のＢ−Ｂ´断面を示す断面図、（ｂ）は（ａ）のＹ部を拡大して示す断面図、（ｃ）は（ａ）のＺ部を拡大して示す断面図である。
【図８】従来の通信装置を示す斜視図である。
【図９】図８に示す従来の通信装置のプラグインユニットの構造を説明するための分解斜視図である。
【図１０】（ａ）〜（ｃ）は、図８に示す従来の通信装置のプラグインユニットをサブラック装置に挿設するシーケンスを説明するための図である。
【図１１】従来のピッグテイルをそなえたプラグインユニットを示す図であり、（ａ）はその斜視図、（ｂ）は外部とのインターフェース部を露出している状態の斜視図、（ｃ）は（ａ）のＣ−Ｃ´断面図である。
【図１２】従来の外部とのインターフェース部をそなえたプラグインユニットを示す図であり、（ａ）はその斜視図、（ｂ）はそのプリント板を示す斜視図である。
【発明を実施するための最良の形態】
【００２４】
以下、図面を参照して本発明の実施の形態について説明する。
〔１〕本発明の一実施形態について
まず、本発明の一実施形態としての通信装置について説明する。図１は本発明の一実施形態としての通信装置の構成を示すブロック図である。なお、図１において既述の符号と同一の符号は、同一の部分もしくはほぼ同一の部分を示しているので、その詳細な説明は省略する。【００２５】
この図１に示すように、本通信装置１は、サブラック１０と、このサブラック１０に挿設される複数のプラグインユニット２０ａ〜２０ｄ，１１０とをそなえて構成されている。なお、プラグインユニット１１０は、図８，図９を参照しながら上述した従来のプラグインユニット１１０と同一のものであるため、ここではその詳細な説明は省略する。
サブラック１０は、ブックシェルフ型の形態を採っており、サブラック１０の正面側に向かって左側（図１の左側）から上下２列にわたってプラグインユニット２０ａ〜２０ｄが並列的に配置されている。具体的には、サブラック１０の上段にプラグインユニット２０ａ，２０ｂが挿設され、下段にプラグインユニット２０ｃ，２０ｄが挿設されている。【００２６】
そして、プラグインユニット１１０は、サブラック１０内に一列で並列的に複数（ここでは７つ）挿設されている。
サブラック１０は、背面にバックプレーン１１をそなえて構成されており、このバックプレーン１１には、バックプレーンコネクタ（コネクタ）１２が複数そなえられている。
また、サブラック１０の内側下面及び内側上面には、プラグインユニット２０ａ〜２０ｄ（以下、プラグインユニット２０ａ，２０ｂ，２０ｃ，２０ｄを特に区別しない場合には、単に符号２０で示す）及びプラグインユニット１１０を挿入するためのガイドレール１３がそなえられている。【００２７】
これらサブラック１０のバックプレーンコネクタ１２及びガイドレール１３は、複数のプラグインユニット２０，１１０それぞれに対応して複数そなえられている。
なお、図１におけるプラグインユニット２０は、外部の光ファイバケーブル９０が後述するインターフェース部６０ａ〜６０ｄ（図１においては図示せず。例えば図２参照）に接続されている状態を示している。【００２８】
次に、図２，図３を参照しながら、プラグインユニット２０について説明する。なお、図２は組み立て前のプラグインユニット２０を示す図であり、図３に示すプラグインユニット２０は外部の光ファイバケーブル９０が後述するインターフェース部６０ａ〜６０ｄ（図３では単に符号６０で示す）に接続されている状態を示している。
図２に示すように、プラグインユニット２０はプリント配線板（プリント板）３０，シールドカバー（第１シールドカバー部材）４０，及びフロントパネル（フロントカバー部材）５０とをそなえて構成されている。【００２９】
プラグインユニット２０の後端部（背面部）には、プリント板３０の後端にそなえられたプラグインユニットコネクタ３１がシールドカバー４０から突出しており、プラグインユニット２０がサブラック１０に挿設される際に、プラグインユニットコネクタ３１がバックプレーンコネクタ１２と結合される。この結果、プラグインユニット２０とサブラック１０とが電気的に結合される。【００３０】
また、プラグインユニット２０のプリント板３０には、複数の電子部品（図示略）とともに、外部とのインターフェースとしてのインターフェース部６０ａ〜６０ｄが搭載されている。なお、これらインターフェース部６０ａ〜６０ｄはそれぞれ同一のものであるため、以下、これらインターフェース部６０ａ〜６０ｄを特に区別しない場合には、単に符号６０を用いて説明する。【００３１】
シールドカバー４０は、プリント板３０の上下面及び両側面それぞれを覆うものであり、前後端面が開放された筒形あるいは箱形の形状をしている。
フロントパネル５０は、プリント板３０の前面（正面）を覆うものであり、プリント板３０に搭載されたインターフェース部６０の外部との接続部（コネクタ部）６１を外部に対して露呈する開口部（第２開口部）５１を有している。【００３２】
なお、シールドカバー４０及びフロントパネル５０は、例えばアルミニウムやステンレス材等の導電材料で作られている。
ここで、プラグインユニット２０の組み立て方法について説明すると、まず、フロントパネル５０と、プリント板３０の上下面に沿って延在するように配置されたアーム部材３２，３３とが、ねじ２１ａ，２１ｂによってそれぞれ結合される。なお、アーム部材３２，３３も導電材料製である。
また、プリント板３０の前端部からはインターフェース部６０が突出しているが、フロントパネル５０のインターフェース部６０に対応する位置に開口部５１が設けられているため、インターフェース部６０の接続部６１を外部に対して露呈しながらプリント板３０とフロントパネル５０とを結合することができる。【００３３】
次いで、プリント板３０が、アーム部材３２，３３を介してシールドカバー４０内に挿設され、さらに、フロントパネル５０とシールドカバー４０とがねじ２２ａ，２２ｂによって結合されて、プラグインユニット２０が組み立てられる。
なお、プラグインユニット２０はフロントパネル５０のカードレバー５２ａ，５２ｂを用いてサブラック１０に挿設される。【００３４】
また、プラグインユニット２０においても、図１０（ａ）〜（ｃ）を参照しながら上述した従来のプラグインユニット１１０と同様の構成（つまり、アーム部材やプリント板の切欠き等）によって、プリント板３０が、シールドカバー４０及びフロントパネル５０に上下方向（鉛直方向；ｂ１−ｂ２方向）に遊動可能に格納されている。
つまり、図２に示すように、プリント板３０の、アーム部材３２，３３のピン３２ａ，３３ａに対応する位置それぞれに、切欠き３４ａ，３４ｂが設けられており、これら切欠き３４ａ，３４ｂの長さがピン３２ａ，３３ａの直径よりも大きく設定されており、プリント板３０は鉛直方向（ｂ１−ｂ２方向）に遊動可能になっている。【００３５】
また、プリント板３０には、プリント板３０に搭載されるインターフェース部６０のプリント板３０の前端部から突出する部分を覆うとともに、インターフェース部６０の周面に接触しながら、インターフェース部６０の前端に設けられる外部との接続部６１を外部に対して露呈する開口部（第１開口部）７１を有する接地板（第２シールドカバー部材）７０が固着されている。なお、接地板７０もアルミニウムやステンレス材等の導電材製である。【００３６】
接地板７０には、端部をアーム部材３２に接続されたアース線７２が接続されている。ここで、プラグインユニット２０は、シールドカバー４０が、接地されたサブラック１０に接触することによって接地されており、上述したように、アーム部材３２，フロントパネル５０，シールドカバー４０，及びサブラック１０が全て導電材製であるため、接地板７０は、アース線７２によって、アーム部材３２，フロントパネル５０，シールドカバー４０，及びサブラック１０を介して接地される。【００３７】
インターフェース部６０は、外部とのインターフェースとして機能するものであり、外部との接続部６１を有するモジュール［例えば、ＳＦＰ（Small form Factor Pluggable）］６２を挿抜可能に収納するケース（ケージ）６３と、電気コネクタ（図示略）とをそなえて構成されている。
そして、プリント板３０にはケース６３と電気コネクタとが固着され、モジュール６２はケース６３に挿設されることにより、電気コネクタを介してプリント板３０と電気的に結合される。【００３８】
また、ケース６３の接地板７０の開口部７１に対向する箇所（ケース６３の前端部分）には、接地板７０の開口部７１において接地板７０に（ここでは、接地板７０の開口部７１の内側面）に接触するシールドフィンガ（接触部）６４がそなえられている。なお、シールドフィンガ６４は、ケース６３の一部を切り起こされて形成されている。
このシールドフィンガ６４も導電材製であり、これにより、接地板７０の開口部７１とインターフェース部６０（ここではケース６３）の外周面との間の隙間が、シールドフィンガ６４によって電磁的にシールドされ、この結果、プラグインユニット２０内で発生した電磁波が、接地板７０の開口部７１とインターフェース部６０（ここではケース６３）の外周面との隙間から外に出ることを抑止することができる。【００３９】
さらに、例えば、外部からインターフェース部６０の接続部６１に対して静電気が放電された場合であっても、シールドフィンガ６４が接地板７０の開口部７１とインターフェース部６０（ここではケース６３）の外周面とを電気的に接続しており、さらに、接地板７０がアース線７２によって接地されているため、静電気がプリント板３０内に通電することなく接地側へ流れ、静電気の影響を確実に低減することができる。【００４０】
なお、本通信装置１では、図２に示すように、ケース６３のシールドフィンガ６４が接地板７０の開口部７１の内面に接触しながら、ケース６３が接地板７０の開口部７１にプリント板３０の内側から貫通するように挿設されており、接地板７０の取付アーム部材７５ａ，７５ｂがねじ等によってプリント板３０に固着されることによって、ケース６３が接地板７０に挟持されながらプリント板３０に固着されている。【００４１】
ここで、シールドフィンガ６４は接地板７０に対して押圧力を有するバネ機構をそなえて構成されており、これにより、接地板７０の開口部７１におけるケース６３のぐらつきや、ずれを抑止でき、接地板７０がケース６３を堅固に挟持することができる。
次に、図４を参照しながら、フロントパネル５０及び接地板７０の構成についてさらに詳述する。なお、図４における切欠き部分Ｒは、フロントパネル５０の内側を示すためのものであり、実際のフロントパネル５０に設けられているものではない。また、切欠き部分Ｒ内に二点鎖線で示すように、後述する片５３ａ，５４ａは、本来切欠き部分Ｒ内にも延在するものである。【００４２】
この図４に示すように、接地板７０の周面には立壁部７３ａ〜７３ｄがそなえられている。これら立壁部７３ａ〜７３ｄも、例えばアルミニウムやステンレス材等の導電材料製である。
立壁部７３ａ，７３ｂは、接地板７０の側面に沿って上下方向（ｂ１−ｂ２方向）に沿在し、フロントパネル５０に対して溝Ｌ（後述する図６（ａ），（ｂ）参照）を形成するものである。【００４３】
また、立壁部７３ｃは、接地板７０の上面に沿って左右方向（奥行方向；ｃ１−ｃ２方向）に沿在し、フロントパネル５０に対して溝Ｍ（後述する図７（ａ），（ｂ）参照）を形成するものであり、さらに、立壁部７３ｄは、接地板７０の下面に沿って左右方向（奥行方向；ｃ１−ｃ２方向）に沿在し、フロントパネル５０に対して溝Ｎ（後述する図７（ａ），（ｃ）参照）を形成するものである。【００４４】
さらに、図４に示すように、フロントパネル５０には、フロントパネル５０の内側に開口部５１に沿在する片５３ａ〜５３ｄがそなえられている。なお、これら片５３ａ〜５３ｄも例えばアルミニウムやステンレス材等の導電材料製である。
これら片５３ａ〜５３ｄは、それぞれ、立壁部７３ａ〜７３ｄによって形成された対応する溝Ｌ，Ｍ，Ｎ内に延びるように、かかる溝に向けて（ここではａ１−ａ２方向に）形成されている。【００４５】
具体的には、フロントパネル５０の開口部５１の内面において開口部５１の側辺に沿って上下方向（ｂ１−ｂ２方向）に沿在する片５３ａは、その端部が立壁部７３ａによって形成される溝Ｌ内に入るように形成されており、同じく開口部５１の内面において開口部５１の側面に沿って上下方向（ｂ１−ｂ２方向）に沿在する片５３ｂは、その端部が立壁部７３ｂによって形成される溝Ｌ内に入るように形成されている。【００４６】
また、フロントパネル５０の開口部５１の内面において開口部５１の上辺に沿って左右方向（奥行方向；ｃ１−ｃ２方向）に沿在する片５３ｃは、その端部が立壁部７３ｃによって形成される溝Ｍ内に入るように形成されており、また、開口部５１の内面において開口部５１の下辺に沿って左右方向（奥行方向；ｃ１−ｃ２方向）に沿在する片５３ｄは、その端部が立壁部７３ｄによって形成される溝Ｎ内に入るように形成されている。【００４７】
このように、接地板７０の周面に設けられた立壁部７３ａ〜７３ｄとフロントパネル５０の内面に設けられた片５３ａ〜５３ｄとは、接地板７０とフロントパネル５０の開口部５１との間に介装されて、フロントパネル５０の開口部５１と接地板７０の外周面との隙間を覆うシールド機構Ｓとして機能する。
したがって、シールド機構Ｓとしての立壁部７３ａ〜７３ｄ及び片５３ａ〜５３ｄによって、フロントパネル５０の開口部５１との間に介装されて、フロントパネル５０の開口部５１と接地板７０の外周面との隙間が電磁的にシールドされ、この結果、プラグインユニット２０内で発生した電磁波が、プラグインユニット２０外に出ることを確実に抑止することができるとともに、外部からの電磁波が、プリント板３０内に入ることを抑止することができる。【００４８】
さらに、例えば、外部からインターフェース部６０の接続部６１に対して静電気が放電された場合であっても、立壁部７３ａ〜７３ｄ及び片５３ａ〜５３ｄに通電された静電気は、プリント板３０内に通電することなく、接地板７０もしくはフロントパネル５０の接地側へ流れるため、静電気の影響を確実に低減することができる。
なお、フロントパネル５０の開口部５１の両側縁部には、開口部５１の上下方向（ｂ１−ｂ２方向）に沿って開口の中心に向けて延びる片５４ａ，５４ｂがそなえられている。なお、これら片５４ａ，５４ｂも導電材製である。これにより、フロントパネル５０の開口部５１と、この開口部５１から露呈するインターフェース部６０の周面との隙間を、片５４ａ，５４ｂが自身の長さ分だけ塞ぐことができ、プラグインユニット２０内で発生した電磁波の外部への漏洩、及び外部からの電磁波のプラグインユニット２０内への進入を、ある程度抑止することができる。【００４９】
ここで、図５はプラグインユニット２０を示す図であり、（ａ）はその上面図、（ｂ）はその側面図、（ｃ）はその正面図である。また、図６（ａ），（ｂ）は図５（ｂ）のＡ−Ａ´断面図であり、図７（ａ）〜（ｃ）は図５（ｃ）のＢ−Ｂ´断面図である。
図６（ａ）に示すように、立壁部７３ａ，７３ｂは、フロントパネル５０に対して溝Ｌを形成するように設けられており、立壁部７３ａ，７３ｂそれぞれは、その断面がＵ字形状を成すように曲成されている。【００５０】
また、片５３ａは、片５３ａの端部と立壁部７３ａの端部とが互いに重なり合うように、溝Ｌの内部に入り込むように形成されるとともに、片５３ｂは、片５３ｂの端部と立壁部７３ｂの端部とが互いに重なり合うように、溝Ｌの内部に入り込むように形成されている。
ここで、図６（ｂ）の円Ｘ´は図６（ａ）の円Ｘ部分の拡大図である。この図６（ｂ）に示すように、立壁部７３ａ，７３ｂによって形成される溝Ｌの内寸ｅは、片５３ａ，５３ｂの端部の外寸ｆよりも僅かに大きく構成されている。これにより、プリント板３０がフロントパネル５０に対してプラグインユニット２０の奥行方向（ｃ１−ｃ２方向）に遊動しないようになっている。【００５１】
また、図７（ａ）に示すように、立壁部７３ｃ，７３ｄは、それぞれフロントパネルに対して溝Ｍもしくは溝Ｎを形成するように設けられており、立壁部７３ｃ，７３ｄそれぞれは、その断面がＵ字形状を成すように曲成（曲折）されている。
ここで、図７（ｂ）の円Ｙ´は図７（ａ）の円Ｙ部分の拡大図であり、図７（ｃ）の円Ｚ´は図７（ａ）の円Ｚ部分の拡大図である。【００５２】
図７（ｂ）に示すように、立壁部７３ｃによって形成される溝Ｍの内寸ｇは、片５３ｃの端部の外寸ｈよりも十分に大きくなるように構成されている。
さらに、図７（ｃ）に示すように、立壁部７３ｄによって形成される溝Ｎの内寸ｊは、片５３ｄの端部の外寸ｋよりも十分に大きくなるように構成されている。
これにより、プリント板３０がフロントパネル５０に対してプラグインユニット２０の上下方向（ｂ１−ｂ２方向）に遊動可能になっている。【００５３】
換言すると、プリント板３０がフロントパネル５０及びシールドカバー４０に上下方向に遊動可能に格納されるように、立壁部７３ｃ，７３ｄによって形成される溝Ｍ，Ｎの内寸が、片５３ｃ，５３ｄの端部の外寸ｈ，ｋに対して十分に大きく形成され、さらに、上述したように、プリント板３０の切欠き３４ａ，３４ｂの長さがアーム部材３２，３３それぞれのピン３２ａ，３３ａの直径より大きく形成されていることにより、プラグインユニット２０及びサブラック１０の構成品の各部寸法に対するばらつき（公差集積）の影響を受けずに、サブラック１０のバックプレーン１１に設けられたバックプレーンコネクタ１２とプリント板３０の後端に設けられたプラグインユニットコネクタ３１とを確実に結合することができる。【００５４】
このように、本発明の一実施形態としての通信装置１によれば、プラグインユニット２０に対してモジュール６２が挿抜可能となるように、プリント板３０にインターフェース部６０を搭載する場合であっても、インターフェース部６０のプリント板３０の前端面から突出する部分を接地板７０が覆うとともに、フロントパネル５０の開口部５１と接地板７０の外周面との隙間をシールド機構Ｓとして機能する片５３ａ〜５３ｄ及び立壁部７３ａ〜７３ｄが覆うため、プラグインユニット２０のプリント板３０に対する電磁遮蔽を確実に実現することができるとともに、静電気の影響の縮減を実現することができる。【００５５】
さらに、インターフェース部６０の外周面としてのケース６３にそなえられたシールドフィンガ６４が、接地板７０に接触するように構成されているため、接地板７０の開口部７１とインターフェース部６０（ケース６３）の外周面との隙間からの電磁波の漏洩及び進入を抑止でき、プラグインユニット２０の電磁遮蔽をより確実に実現することができる。【００５６】
また、片５３ａ〜５３ｄそれぞれが、立壁部７３ａ〜７３ｄが形成する対応する溝Ｌ，Ｍ，Ｎ内に入るように構成され、その際、片５３ａ〜５３ｄの端部と立壁部７３ａ〜７３ｄの端部とが互いに重なり合うように（オーバーラップするように）構成されているため、フロントパネル５０の開口部５１と接地板７０の外周面との間の電磁的な隙間をなくすことができ、この結果、プラグインユニット２０の電磁遮蔽をより確実に実現することができる。【００５７】
なお、接地板７０が接地されているため、プラグインユニット２０のプリント板３０に対する静電気の影響をより確実に縮減することができる。
〔２〕その他
なお、本発明は上述した実施形態に限定されるものではなく、本発明の趣旨を逸脱しない範囲で種々変形して実施することができる。【００５８】
例えば、上述した実施形態では、プリント板３０がシールドカバー４０及びフロントパネル５０に遊動可能に格納されるように構成したが、本発明はこれに限定されるものではなく、プリント板３０がシールドカバー４０及びフロントパネル５０内に固定されるように構成されてもよく、この場合には、接地板７０の上下面に沿って沿在する立壁部７３ｃ，７３ｄが形成する溝Ｍ，Ｎの内寸ｇ，ｊは、対応する片５３ａ，５３ｂの端部の外寸ｈ，ｋよりも若干大きく構成されていればよい。【００５９】
また、上述した実施形態では、接地板７０がアース線７２によって接地されるように構成したが、本発明はこれに限定されるものではなく、接地板７０が何らかの方法で接地されていればよい。
さらに、上述した実施形態では、片５３ａ〜５３ｄ及び立壁部７３ａ〜７３ｄが、シールド機構Ｓとして機能するように構成したが、本発明はこれに限定されるものではなく、シールド機構Ｓはフロントパネル５０の開口部５１と接地板７０の外周面との隙間を電磁的にシールドするように覆うものであればよい。【００６０】
したがって、片５３ａ〜５３ｄ及び立壁部７３ａ〜７３ｄの形状は上述した実施形態に限定されるものではなく、例えば、片５３ａ〜５３ｄが立壁部７３ａ〜７３ｄに対して溝を形成するように構成され、片５３ａ〜５３ｄの溝と立壁部７３ａ〜７３ｄの溝とが互いに重なり合って嵌め合わされるように構成してもよいし、あるいは、片５３ａ〜５３ｄ及び立壁部７３ａ〜７３ｄがともに溝を形成せず、片５３ａ〜５３ｄ及び立壁部７３ａ〜７３ｄそれぞれの端部が、フロントパネル５０の開口部５１と接地板７０の外周面との隙間を覆うべく、直角もしくは鋭角に曲折され、片５３ａ〜５３ｄの端部と立壁部７３ａ〜７３ｄの端部とが重なり合うように構成してもよく、これらの場合にも、上述した実施形態と同様の作用効果を得ることができる。【００６１】
また、上述した実施形態では、シールドフィンガ６４がケース６３を切り起こすことによって形成された例をあげて説明したが、本発明はこれに限定されるものではなく、シールドフィンガ６４はケース６３とは異なる部材で構成されてケース６３に取り付けられてもよいし、接地板７０の開口部７１端面に取り付けられてもよく、少なくとも、接地板７０の開口部７１とインターフェース部６０（ここではケース６３）の外周面との隙間において、電磁遮蔽を実現できるものであればよい。
【図１】
0004399497.tif 000002
【図２】
0004399497.tif 000003
【図３】
0004399497.tif 000004
【図４】
0004399497.tif 000005
【図５】
0004399497.tif 000006
【図６】
0004399497.tif 000007
【図７】
0004399497.tif 000008
【図８】
0004399497.tif 000009
【図９】
0004399497.tif 000010
【図１０】
0004399497.tif 000011
【図１１】
0004399497.tif 000012
【図１２】
0004399497.tif 000013